(57)【要約】【課題】本考案は、収納時と使用時に最小の体積にすることが可能な回転伸縮式記憶装置を提供する。【解決手段】保護カバーと、中空のケースと、記憶装置とによって構成する。前記保護カバーの下カバー表面における開放状端部に近い箇所には、回転部材が凸設され、前記回転部材表面における中心からずれた位置には、凸柱が設けられる。前記ケースの内部は収容スペースを形成し、前記ケースの底端には、回転部材に組み合わされる穿孔が貫設され、前記ケースの前端の差し込み孔によって、記憶装置の第二端は収容スペースに収容され、記憶装置の底端の溝部と凸柱が係合することにより位置決めされる。ケースが保護カバーに対して回転する過程において、凸柱は溝部に対して直線的に移動し、それによって記憶装置の第一端は収容スペースに引っ張りこまれ、第一端は収容スペースから押し出され使用可能な状態になる。【選択図】図１
0003165776.tif 000002
【実用新案登録請求の範囲】
【請求項１】
保護カバーと、中空のケースと、記憶装置とによって構成する回転伸縮式記憶装置であって、
前記保護カバーは、上カバーと、下カバーと、連結端部とによってなり、上カバーと下カバーと連結端部とが囲むことにより開放状のＵ形空間が形成され、保護カバーの下カバー表面における開放状端部に近い箇所には、回転部材が凸設され、前記回転部材における中心からずれた位置には、凸柱が設けられ、
前記ケースの内部は収容スペースを形成し、前記ケースの前端には、収容スペースに連通する差し込み孔が設けられ、前記ケースの底端には、回転部材に組み合わされる穿孔が貫設され、前記ケースは、組み合わせれた穿孔と回転部材により、保護カバーに対して回転を行い、
前記記憶装置は、第一端と第二端とを備え、第一端の頂面には導電端子が設けられ、第二端の底面の短方向には、溝部が設けられ、記憶装置の第二端は、差し込み孔から収容スペースに収容されるとともに、第二端の溝部と凸柱の係合により外れるのが防止され、
前記ケースと保護カバーが回転して重なり收納状態になる過程で、前記凸柱は溝部に対して垂直運動を行い、それにより記憶装置の第一端は収容スペースに収容され、反対に、ケースと保護カバーが回転して直線状に展開される過程においては、凸柱が溝部に対して直線運動を行い、記憶装置の第一端は収容スペースから押し出されることを特徴とする、回転伸縮式記憶装置。
【請求項２】
前記記憶装置は、横切断面がＵ型を呈する受け部材と、本体とからなり、前記受け部材とその底板の頂端とが囲むことにより上端に開口をもつ収容部が形成され、前記受け部材の底板の下端の短方向には溝部が設けられ、前記本体の第一端には導電端子が設けられることを特徴とする、請求項１に記載の回転伸縮式記憶装置。
【請求項３】
前記第二端の底面の溝部は、記憶装置の第二端の中心からずれた位置に設けられることを特徴とする、請求項１または請求項２に記載の回転伸縮式記憶装置。
【請求項４】
前記凸柱は、保護カバーの開放状端部に近い箇所に設けられることを特徴とする、請求項１または請求項２に記載の回転伸縮式記憶装置。
【請求項５】
前記凸柱は、保護カバーの開放状端部に近い箇所に設けられることを特徴とする、請求項３に記載の回転伸縮式記憶装置。
【考案の詳細な説明】
【技術分野】
【０００１】
本考案は記憶装置に関し、特に回転方式により、差し込み端を伸縮させて使用と収納状態を切り替えることができるＵＳＢ記憶装置に関する。
【背景技術】
【０００２】
科学技術が成熟するにつれて、手軽に携帯できるＵＳＢメモリの保存容量は大幅に増えてきており、ディスクメディアに取って代わる勢いである。
【０００３】
従来のＵＳＢメモリは、携帯時の保護の機能を達成するために、記憶装置と保護カバーの二つの部材を取り外し可能に嵌め合わせてなる。しかしながら、部材を二つにする方式の設計だと、取り外した保護カバーがなくなりやすいという欠点があり、単一部材の回転式ＵＳＢメモリが市場に登場してきている。
【０００４】
回転式メモリの典型的な構造は、台湾特許第Ｍ３７３６２４号（以下、６２４号案と呼ぶ）或いは台湾特許第Ｍ３７２９９４号（以下９９４号案と呼ぶ）に開示されている。その内、６２４号案のメモリは、Ｕ形の遮蔽体を軸心とし、記憶装置を９０、１８０、２７０、３６０度の四方に回転させ、その位置で固定させる設計になっている。また、９９４号案は、本体の位置決め溝を軸心とし、保護カバーにおける開放状端部に近い箇所の凸部と位置決め部を利用することにより、保護カバーの本体に対する回転、及び伸出と收納機能を達成している。しかしながら、上述の６２４と９９４号案に開示されている回転式メモリは、本体と保護カバーを相互に回転させることにより、保護カバーが紛失するのを防ぐ効果があるものの、本体或いは保護カバーを固定軸心にして回転させる設計は、以下の欠点が存在する。
【０００５】
６２４号案に関して言うと、本体をスムーズに回転させて差し込んで使用することができるようにするために、軸心の位置は保護カバー開放状端部に近づける必要がある（即ち、保護カバーの中心には位置しない）。それにより、本体は回転して完全に保護カバー内に収められるが、回転させ伸出させて使用する状態の際、メモリの長さは収縮時の二倍になってしまう。９９４号案に関して言うと、伸出させて使用する時の長さは、６２４号案に比べると短いものの、長さが短縮された理由は、保護カバーの長さを伸ばしたためであり、本体を保護カバーに収容した時、本体の差し込み端部と保護カバーに大きすぎる無駄な空間ができてしまい、本体の差し込み端部と対向する端部の外に露出する部分が長くなり、必然的にメモリの長さも長くなる。従って、消費者が望む軽く・薄く・短く・小さい製品というニーズに合わないため、改善の必要がある。
【先行技術文献】
【特許文献】
【０００６】
【特許文献１】台湾特許第Ｍ３７３６２４号明細書
【特許文献２】台湾特許第Ｍ３７２９９４号明細書
【考案の概要】
【考案が解決しようとする課題】
【０００７】
そこで、本考案は、収納時と使用時に最小の体積にすることが可能な回転伸縮式記憶装置を提供することを目的とする。
【課題を解決するための手段】
【０００８】
上述の目的を達成するために、本考案による回転伸縮式記憶装置は、保護カバーと、中空のケースと、記憶装置とによって構成する。前記保護カバーは、上カバーと、下カバーと、連結端部とによってなり、上カバーと下カバーと連結端部とが囲むことにより開放状のＵ形空間が形成され、保護カバーの下カバー表面における開放状端部に近い箇所には、回転部材が凸設され、前記回転部材における中心からずれた位置（開放状端部に近い位置）には、凸柱が設けられる。前記ケースの内部は収容スペースを形成し、前記ケースの前端には、収容スペースに連通する差し込み孔が設けられ、前記ケースの底端には、回転部材に組み合わされる穿孔が貫設され、前記ケースは、組み合わせれた穿孔と回転部材により、保護カバーに対して回転を行う。前記記憶装置は、第一端と第二端とを備え、第一端の頂面には導電端子が設けられ、第二端の底面の短方向には、溝部が設けられ、記憶装置の第二端は、差し込み孔から収容スペースに収容されるとともに、第二端の溝部と凸柱の係合により外れるのが防止される。前記ケースと保護カバーが回転して重なり收納状態になる過程で、前記凸柱は溝部に対して垂直運動を行い、それにより記憶装置の第一端は収容スペースに収容され、反対に、ケースと保護カバーが回転して直線状に展開される過程においては、凸柱が溝部に対して直線運動を行い、記憶装置の第一端は収容スペースから押し出される。
【図面の簡単な説明】
【０００９】
【図１】本考案による記憶装置の構造を示した分解図である。
【図１Ａ】記憶装置のケース裏面を示した斜視図である。
【図２】図１を組み合わせた状態を示した斜視図である。
【図３】記憶装置と保護カバーを重ねて収納した状態を示した斜視図である。
【図４】本考案を収納状態から使用状態に回転させる操作を示した斜視図である。
【図５】本考案の使用状態を示した斜視図である。
【図６】図５の透視図である。
【図７】本考案を使用状態から収納状態に回転させる操作を示した透視図である。
【図８】本考案の収納状態を示した透視図である。
【考案を実施するための形態】
【００１０】
図１から図３に示すように、本考案による回転伸縮式記憶装置は、保護カバー１０と、ケース２０と、記憶装置３０とによって構成する。保護カバー１０は、上カバー１２と、下カバー１４と、上、下カバーを連結する連結端部１６とによってなり、上カバー１２と、下カバー１４と、連結端部１６とが囲むことにより開放状のＵ形空間１８が形成される、また、保護カバーの下カバー１４表面における開放状端部に近い箇所には、所定の直径の円形回転部材１９が凸設され、回転部材１９における開放状端部に近い表面には、凸柱１９１が中心からずらして設けられている。
【００１１】
ケース２０は、矩形を呈する中空のケースであり、ケース２０内部は収容スペースを形成する（図１Ａを参照）。前記ケースの前端には、収容スペースに連通する矩形の差し込み孔２２が設けられ、前記ケースの底端には、図１Ａに示すように穿孔２４が貫設される（穿孔の孔径は、回転部材の直径に等しいか、或いは回転部材の直径より少し大きい）。穿孔２４は、凸出状の回転部材１９に組み合わされ、回転部材１９と穿孔の壁厚は大体同じである。ケース２０は、穿孔と回転部材を組み合わせることにより、保護カバーに対して時計回り、反時計回りに回転させることができる。
【００１２】
記憶装置３０は、受け部材３２と、本体３４とによって構成する。横切断面がＵ型の受け部材３２と、その底板３２１頂端とが囲むことにより、上端に開口をもつ収容部３２２が形成される。記憶装置３０の底板の下端の短方向の中心からずれた位置には、溝部３３３が設けられる。本体３４は受け部材の収容部３２２に組み合わされる。また、記憶装置３０における溝部と反対側の端部には、ＵＳＢポートと電気的に接続される導電端子３４２が設けられ、記憶装置３０の導電端子が設けられた端部を第一端と定義し、溝部が設けられた端部を第二端と定義する。上述した記憶装置３０の第二端は、差し込み孔２２を通じて収容スペースに差し込まれ、第二端の溝部３３３と凸柱１９１を係合させることにより外れてしまうのを防ぐことができる。
【００１３】
次に、図４から図８を参照する。本考案による回転伸縮式記憶装置の操作について以下に説明する。まず、図６に示すように、記憶装置を展開させ使用状態にした時、中心からずらして設けられた凸柱１９１は溝部３３３の中心位置に位置し、記憶装置３０の第一端は、ケースの収容スペースから押し出されている。使用後の記憶装置を保護カバー１０のＵ形空間１８内に完全に収容させ、中と外が重なった状態にしたい場合は（図８に図示）、図７に示すように、前記ケースを軽く押すと、前記ケース２０は穿孔と保護カバーの回転部材とによりその位置で時計回りに９０度回転し、それにより、記憶装置の溝部３３３は凸柱１９１に対して直線運動を行って溝部は中心位置から側辺に移動し、それと同時に、記憶装置３０の外に露出した第一端は徐々にケースの収容スペースに引っ張りこまれる。そして、記憶装置をさらに時計回りに９０度回転させると、溝部は凸柱に対して垂直運動を行い、溝部は側辺から再び中央に戻る。溝部が側辺から中央に戻る過程において、記憶装置３０は再びケースの収容スペースに完全に収容され、記憶装置とケースは保護カバーのＵ形空間内に完全に収まる。
【００１４】
反対に、図４、図５に示すように、図８の収納状態の記憶装置を回転させて保護カバーと一直線を呈する使用状態にしたい場合（図５、図６に図示）、上述した方法と同じように、ケース２０を軽く押し、ケース２０を保護カバー１０に対して時計回りに９０度回転させると、溝部は中央位置から側辺へと移動し、それと同時に、前記記憶装置の第一端は収容スペース内から外側へと押し出される。そして、さらに９０度回転させてケースが図５の状態にすると、溝部は側辺から中央に移動し、残りの記憶装置３０も収容スペースから完全に押し出される。それにより、第一端の導電端子３４２をパソコン（図示せず）のＵＳＢポートに差し込んでデータを保存することができる。
【００１５】
本考案は、保護カバー１０とケース２０に、相互に回転可能な回転部材と穿孔を設け、さらに、ケース底端に直線状の溝部を中心からずらして設けるとともに、回転部材表面に凸柱を中心からずらして設ける。この構造により、ケースと保護カバーを相互に回転させる過程で、溝部は動かされて凸柱に対して直線運動を行い、溝部と凸柱の位置を変えることができる。それにより、記憶装置をケースの収容スペースに収容させた收納状態と、ケースの収容スペースから出した使用状態とを切り替えることができる。
【００１６】
記憶装置の第一端がケースに完全に収容されている時、ケースと保護カバーは中と外に重ねられるため、最小の体積（長さ）を達成することができるという利点がある。９９４号案と比較すると、本考案は、保護カバーの長さを延長する必要がないため、收納する際に更に短く小さい体積にすることができる。
【００１７】
また、前記記憶装置は、収容スペースから完全に取り出して使用状態にする時、第一端のみ保護カバー外部に露出するため、従来技術の６２４号案と比較すると、本考案の記憶装置の外に露出した長さはわずかに従来技術の１／２であり、使用状態でも短く小さい体積にすることができる。
【符号の説明】
【００１８】
１０    保護カバー                          
１２    上カバー                              
１４    下カバー                              
１６    連結端部                              
１８    Ｕ形空間                      
１９    回転部材                              
１９１  凸柱                            
２０    ケース                              
２２    差し込み孔
２４    穿孔
３０    記憶装置
３２    受け部材
３２１  底板
３２２  収容部
３３３  溝部
３４    本体
３４２  導電端子
【図１】
0003165776.tif 000003
【図１Ａ】
0003165776.tif 000004
【図２】
0003165776.tif 000005
【図３】
0003165776.tif 000006
【図４】
0003165776.tif 000007
【図５】
0003165776.tif 000008
【図６】
0003165776.tif 000009
【図７】
0003165776.tif 000010
【図８】
0003165776.tif 000011